(57)【要約】  本願は、チャネル品質をフィードバックする方法、ユーザ機器、および基地局を開示している。この方法の手順は、第１の時刻に送信された第１の下り信号を受信し、第１の下り信号に基づいて、第１のチャネル品質値を推定し、前記第１の時刻後の第２の時刻に送信された第２の下り信号を受信し、前記第２の下り信号に基づいて、基地局がマルチユーザ伝送を行うときの第２のチャネル品質値を推定し、第１のチャネル品質値および第２のチャネル品質値に基づいて、チャネル品質調整因子を算出し、チャネル品質調整因子を基地局にフィードバックする、ことを含み、ここで、前記マルチユーザ伝送は、同じ時間周波数リソースを用いた、基地局から前記第１のＵＥを含めた複数のＵＥへの下り伝送である。
2019512906.tif 000002
【特許請求の範囲】
【請求項１】
チャネル品質をフィードバックする方法であって、第１のユーザ機器（ＵＥ）に用いられ、
第１の時刻に送信された第１の下り信号を受信し、前記第１の下り信号に基づいて、第１のチャネル品質値を推定し、
前記第１の時刻後の第２の時刻に送信された第２の下り信号を受信し、前記第２の下り信号に基づいて、基地局がマルチユーザ伝送を行うときの第２のチャネル品質値を推定し、
前記第１のチャネル品質値および前記第２のチャネル品質値に基づいて、チャネル品質調整因子を算出し、
前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供する、ことを含み、
前記マルチユーザ伝送は、同じ時間周波数リソースを用いた、基地局から前記第１のＵＥを含めた複数のＵＥへの下り伝送である、ことを特徴とする方法。
【請求項２】
複数の候補調整値を予め設定し、
前記基地局によって前記第２の下り信号の送信時に前記第１のＵＥに割り当てられた第１の電力と、第２のＵＥに割り当てられた第２の電力とを取得する、ことをさらに含み、
前記第１のチャネル品質値および前記第２のチャネル品質値に基づいて、チャネル品質調整因子を算出することは、
前記第１のチャネル品質値、前記第２のチャネル品質値、前記第１の電力、および前記第２の電力に基づいて、干渉電力調整値を算出し、
前記干渉電力調整値と各候補調整値との差を決定し、決定された差のうち、最小となる差に対応する候補調整値を前記チャネル品質調整因子とする、ことを含むことを特徴とする請求項１に記載の方法。
【請求項３】
前記複数の候補調整値を予め設定することは、
前記第２の時刻前に算出された干渉電力調整値の確率分布を統計し、前記確率分布に基づいて、各干渉電力調整値に対応する確率値を決定し、
前記確率値をグループ分けし、各グループ内の確率値に対応する干渉電力調整値を平均化して、得られた平均値を前記候補調整値として決定する、ことを含む、ことを特徴とする請求項２に記載の方法。
【請求項４】
前記第１のチャネル品質値、前記第２のチャネル品質値、前記第１の電力、および前記第２の電力に基づいて、干渉電力調整値を算出することは、
下り制御シグナリングから、前記基地局によって前記第１のＵＥに割り当てられた空間リソースと、前記第２のＵＥに割り当てられた空間リソースとが同じであるか否かを決定し、
前記基地局によって前記第１のＵＥに割り当てられた空間リソースと、前記第２のＵＥに割り当てられた空間リソースとが同じではないと決定した場合、
2019512906.tif 000018
によって、前記干渉電力調整値λを算出し、
前記基地局によって前記第１のＵＥに割り当てられた空間リソースと、前記第２のＵＥに割り当てられた空間リソースとが同じであると決定し、かつ、前記第１の電力が前記第２の電力以上である場合、
2019512906.tif 000019
によって、前記干渉電力調整値λを算出する、ことを含み、
ここで、ＳＩＮＲ１は前記第１のチャネル品質値であり、ＳＩＮＲ２は前記第２のチャネル品質値であり、β１は前記第１の電力であり、β１は前記第２の電力である、ことを特徴とする請求項２に記載の方法。
【請求項５】
前記第２のＵＥは、第３のＵＥおよび第４のＵＥを含み、前記第２の電力は、前記第３のＵＥに割り当てられた第３の電力と、前記第４のＵＥに割り当てられた第４の電力とを含み、
前記第１のチャネル品質値、前記第２のチャネル品質値、前記第１の電力、および前記第２の電力に基づいて、干渉電力調整値を算出することは、
下り制御シグナリングから、前記基地局によって前記第１のＵＥに割り当てられた空間リソースと、前記第３のＵＥに割り当てられた空間リソースとが同じではなく、前記基地局によって前記第１のＵＥに割り当てられた空間リソースと、前記第４のＵＥに割り当てられた空間リソースとが同じであることを決定し、
前記第１の電力が前記第４の電力より大きい場合、
2019512906.tif 000020
によって、前記干渉電力調整値λを算出し、
前記第１の電力が前記第４の電力以下である場合、
2019512906.tif 000021
によって、前記干渉電力調整値λを算出する、ことを含み、
ここで、ＳＩＮＲ１は前記第１のチャネル品質値であり、ＳＩＮＲ２は前記第２のチャネル品質値であり、β１は前記第１の電力であり、β３は前記第３の電力であり、β４は前記第４の電力である、ことを特徴とする請求項２に記載の方法。
【請求項６】
前記第２の下り信号に基づいて、基地局がマルチユーザ伝送を行うときの第２のチャネル品質値を推定することは、
前記第２の下り信号から、マルチユーザ伝送のパラメータを取得し、前記マルチユーザ伝送のパラメータを用いて、前記第２のチャネル品質値を推定する、ことを含む、ことを特徴とする請求項１に記載の方法。
【請求項７】
前記マルチユーザ伝送のパラメータは、前記第１のＵＥに割り当てられた電力およびプリコーディング行列、並びに、前記複数のＵＥのうち、少なくとも１つの第２のＵＥに割り当てられた電力を含む、ことを特徴とする請求項６に記載の方法。
【請求項８】
無線リソース制御（ＲＲＣ）シグナリングを介して、前記第１のＵＥに対し、前記調整因子を前記基地局にフィードバックするよう通知する  ことをさらに含むことを特徴とする請求項１乃至７のいずれか１項に記載の方法。
【請求項９】
ユーザ機器（ＵＥ）であって、
第１の時刻に送信された第１の下り信号と、第１の時刻後の第２の時刻に送信された第２の下り信号とを受信する受信モジュールと、
前記第１の下り信号に基づいて、第１のチャネル品質値を推定し、前記第２の下り信号に基づいて、基地局がマルチユーザ伝送を行うときの第２のチャネル品質値を推定する推定モジュールと、
前記第１のチャネル品質値および前記第２のチャネル品質値に基づいて、チャネル品質調整因子を算出する算出モジュールと、
前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供するフィードバックモジュールと、を備え、
ここで、前記マルチユーザ伝送は、同じ時間周波数リソースを用いた、基地局から前記第１のＵＥを含めた複数のＵＥへの下り伝送である、ことを特徴とするＵＥ。
【請求項１０】
複数の候補調整値を予め設定する設定モジュールをさらに備え、
前記受信モジュールは、さらに、下り制御シグナリングを受信することにより、前記基地局によって前記第２の下り信号の送信時に前記ＵＥに割り当てられた第１の電力と、第２のＵＥに割り当てられた第２の電力とを取得し、
前記算出モジュールは、前記第１のチャネル品質値、前記第２のチャネル品質値、前記第１の電力、および前記第２の電力に基づいて、干渉電力調整値を算出し、前記干渉電力調整値と各候補調整値との差を決定し、決定された差のうち、最小となる差に対応する候補調整値を前記調整因子とする、ことを特徴とする請求項９に記載のＵＥ。
【請求項１１】
前記設定モジュールは、前記第２の時刻前に算出された干渉電力調整値の確率分布を統計し、前記確率分布に基づいて、各干渉電力調整値に対応する確率値を決定し、前記確率値をグループ分けし、各グループ内の確率値に対応する干渉電力調整値を平均化して、得られた平均値を前記候補調整値として決定する、ことを特徴とする請求項１０に記載のＵＥ。
【請求項１２】
前記推定モジュールは、前記第２の下り信号から、マルチユーザ伝送のパラメータを取得し、前記マルチユーザ伝送のパラメータを用いて、前記第２のチャネル品質値を推定し、前記マルチユーザ伝送のパラメータは、前記第１のＵＥに割り当てられた電力およびプリコーディング行列、並びに、前記複数のＵＥのうち、少なくとも１つの第２のＵＥに割り当てられた電力を含む、ことを特徴とする請求項１０に記載のＵＥ。
【請求項１３】
前記受信モジュールは、さらに、無線リソース制御（ＲＲＣ）シグナリングを受信し、
前記フィードバックモジュールは、さらに、前記受信モジュールで受信された前記ＲＲＣシグナリングに応じて、前記チャネル品質調整因子を前記基地局にフィードバックする、ことを特徴とする請求項９乃至１２のいずれか１項に記載のＵＥ。
【請求項１４】
前記フィードバックモジュールは、物理上り制御チャネル（ＰＵＣＣＨ）または物理上り共有チャネル（ＰＵＳＣＨ）で、前記チャネル品質調整因子を前記基地局にフィードバックする、ことを特徴とする請求項９乃至１２のいずれか１項に記載のＵＥ。
【請求項１５】
基地局であって、
第１の時刻に第１の下り信号を送信することにより、第１のユーザ機器（ＵＥ）が、前記第１の下り信号に基づいて、第１の信号対干渉雑音比チャネル品質値を推定するようにし、前記第１の時刻後の第２の時刻に第２の下り信号を送信することにより、前記第１のＵＥが、前記第２の下り信号に基づいて、前記基地局がマルチユーザ伝送を行うときの第２のチャネル品質値を推定し、前記第１のチャネル品質値および前記第２のチャネル品質値に基づいて、チャネル品質指示チャネル品質調整因子を算出するようにする送信モジュールと、
前記第１のＵＥからフィードバックされた前記チャネル品質調整因子を受信する受信モジュールと、
前記チャネル品質調整因子に基づいて、マルチユーザ伝送を行うとき前記第１のＵＥの下り信号に使用する変調符号化方式（ＭＣＳ）を決定するスケジューリングモジュールと、を備え、
前記マルチユーザ伝送は、同じ時間周波数リソースを用いた、前記基地局から前記第１のＵＥを含めた複数のＵＥへの下り伝送である、ことを特徴とする基地局。
【請求項１６】
前記スケジューリングモジュールは、前記第２の下り信号の送信時に前記第１のＵＥに割り当てられた第１の電力、第２のＵＥに割り当てられた第２の電力、および前記チャネル品質調整因子に基づいて、第３のチャネル品質値を算出し、前記第３のチャネル品質値に基づいて、前記第２の時刻後の第３の時刻に送信される第３の下り信号に使用するＭＣＳを決定する、ことを特徴とする請求項１５に記載の基地局。
【請求項１７】
前記スケジューリングモジュールは、前記第１のＵＥおよび前記第２のＵＥに空間リソースを割り当て、前記第１のＵＥに割り当てられた空間リソースと、前記第２のＵＥに割り当てられた空間リソースとが同じではない場合、
2019512906.tif 000022
によって、前記第３のチャネル品質値を算出し、前記第１のＵＥに割り当てられた空間リソースと、前記第２のＵＥに割り当てられた空間リソースとが同じであり、かつ、前記第１の電力が前記第２の電力以上である場合、
2019512906.tif 000023
によって、前記第３のチャネル品質値を算出し、ここで、γは前記ＣＱＩ調整因子であり、β１は前記第１の電力であり、β２は前記第２の電力であり、Ｎは雑音電力である、ことを特徴とする請求項１６に記載の基地局。
【請求項１８】
前記第２のＵＥは、第３のＵＥおよび第４のＵＥを含み、前記第２の電力は、前記第３のＵＥに割り当てられた第３の電力と、前記第４のＵＥに割り当てられた第４の電力とを含み、
前記スケジューリングモジュールは、前記第１のＵＥに割り当てられた空間リソースと、前記第３のＵＥに割り当てられた空間リソースが同じではなく、前記基地局によって前記第１のＵＥに割り当てられた空間リソースと、前記第４のＵＥに割り当てられた空間リソースとが同じであるように、前記第１のＵＥ、前記第３のＵＥ、および前記第４のＵＥに空間リソースを割り当て、前記第１の電力が前記第４の電力より大きい場合、
2019512906.tif 000024
によって、前記第３のチャネル品質値を算出し、前記第１の電力が前記第４の電力以下である場合、
2019512906.tif 000025
によって、前記第３のチャネル品質値を算出し、ここで、γは前記チャネル品質調整因子であり、β１は前記第１の電力であり、β３は前記第３の電力であり、β４は前記第４の電力であり、Ｎは雑音電力である、ことを特徴とする請求項１６に記載の基地局。
【請求項１９】
前記第２の下り信号は、前記第１のＵＥに割り当てられた電力およびプリコーディング行列、並びに、前記複数のＵＥのうち、少なくとも１つの第２のＵＥに割り当てられた電力を含む、ことを特徴とする請求項１５に記載の基地局。
【請求項２０】
下りハイブリッド自動再送要求の結果に基づいて、ブロック誤り率を統計し、前記ブロック誤り率が所定の閾値より大きい場合、前記送信モジュールへ制御指令を送信する制御モジュールをさらに備え、
前記送信モジュールは、さらに、前記制御指令にしたがって、下り制御シグナリングを送信して、前記ＵＥに対し、前記チャネル品質調整因子をフィードバックするよう通知する、ことを特徴とする請求項１５乃至１９のいずれか１項に記載の基地局。
【発明の詳細な説明】
【技術分野】
【０００１】
本願は、移動通信技術に関し、特に、チャネル品質をフィードバックする方法、ユーザ機器、および基地局に関する。
【背景技術】
【０００２】
無線通信システムでは、基地局は、ユーザをスケジューリングするために、通常、ユーザ機器（ＵＥ）からチャネル品質をフィードバックする必要があり、その後、各ＵＥからフィードバックされたチャネル品質に基づいて、各ユーザの下り伝送に使用する変調符号化方式（ＭＣＳ）、時間周波数リソースなどを決定する。
【発明の概要】
【発明が解決しようとする課題】
【０００３】
本願の実施例は、上記に鑑みてなされたものであって、チャネル品質を調整する方法を提供しており、下りスケジューリングの正確性の向上を目的とする。これに応じて、システムスループットおよびユーザスループットも、ある程度で向上することができる。
【課題を解決するための手段】
【０００４】
本願の実施例では、チャネル品質をフィードバックする方法が提供されている。この方法は、第１のユーザ機器（ＵＥ）に用いられ、第１の時刻に送信された第１の下り信号を受信し、前記第１の下り信号に基づいて、第１のチャネル品質値を推定し、前記第１の時刻後の第２の時刻に送信された第２の下り信号を受信し、前記第２の下り信号に基づいて、基地局がマルチユーザ伝送を行うときの第２のチャネル品質値を推定し、前記第１のチャネル品質値および前記第２のチャネル品質値に基づいて、チャネル品質調整因子を算出し、前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供する、ことを含み、ここで、前記マルチユーザ伝送は、同じ時間周波数リソースを用いた、基地局から前記第１のＵＥを含めた複数のＵＥへの下り伝送である。
【０００５】
本願の実施例では、ユーザ機器（ＵＥ）が提供されている。このＵＥは、第１の時刻に送信された第１の下り信号と、前記第１の時刻後の第２の時刻に送信された第２の下り信号とを受信する受信モジュールと、前記第１の下り信号に基づいて、第１のチャネル品質値を推定し、前記第２の下り信号に基づいて、基地局がマルチユーザ伝送を行うときの第２のチャネル品質値を推定する推定モジュールと、前記第１のチャネル品質値および前記第２のチャネル品質値に基づいて、チャネル品質調整因子を算出する算出モジュールと、前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供するフィードバックモジュールと、を備え、ここで、前記マルチユーザ伝送は、同じ時間周波数リソースを用いた、基地局から前記第１のＵＥを含めた複数のＵＥへの下り伝送である。
【０００６】
本願の実施例では、基地局が提供されている。この基地局は、第１の時刻に第１の下り信号を送信することにより、第１のユーザ機器（ＵＥ）が、前記第１の下り信号に基づいて、第１のチャネル品質値を推定するようにし、前記第１の時刻後の第２の時刻に第２の下り信号を送信することにより、前記第１のＵＥが、前記第２の下り信号に基づいて、前記基地局がマルチユーザ伝送を行うときの第２のチャネル品質値を推定し、前記第１のチャネル品質値および前記第２のチャネル品質値に基づいて、チャネル品質調整因子を算出するようにする送信モジュールと、前記第１のＵＥからフィードバックされた前記チャネル品質調整因子を受信する受信モジュールと、前記チャネル品質調整因子に基づいて、マルチユーザ伝送を行うとき前記第１のＵＥの下り信号に使用する変調符号化方式（ＭＣＳ）を決定するスケジューリングモジュールと、を備え、ここで、前記マルチユーザ伝送は、同じ時間周波数リソースを用いた、前記基地局から前記第１のＵＥを含めた複数のＵＥへの下り伝送である。
【発明の効果】
【０００７】
上記の解決手段から分かるように、本願の実施例で提供された移動通信システムにおけるチャネル品質をフィードバックする方法、ユーザ機器、および基地局によれば、ＵＥ自身がチャネル品質調整因子を算出して、このチャネル品質調整因子を基地局にフィードバックすることにより、基地局は、ＵＥで推定されたチャネル品質偏差を知ることができる。さらに、基地局は、これにより、実際にマルチユーザ伝送を行うとき該ＵＥの下り信号の伝送に使用するＭＣＳを決定することが可能になり、後続の伝送におけるＭＣＳの正確性を効果的に改善し、システムスループットおよびユーザスループットを向上させることができる。
【図面の簡単な説明】
【０００８】
【図１ａ】本願の実施例におけるチャネル品質をフィードバックする方法のフローの模式図である。
【図１ｂ】本願の実施例におけるチャネル品質をフィードバックする方法のフローの模式図である。
【図２】本願の実施例におけるマルチユーザ伝送の模式図である。
【図３】本願の実施例におけるＣＱＩを調整する方法のフローの模式図である。
【図４ａ】本願の実施例における干渉電力調整値の確率分布の模式図である。
【図４ｂ】本願の実施例における干渉電力調整値の確率分布の模式図である。
【図５】本願の実施例におけるＣＱＩを調整する方法のシグナリングやり取り図である。
【図６】本願の実施例におけるＣＱＩを調整する方法のフローの模式図である。
【図７】本願の実施例におけるユーザ機器の構成の模式図である。
【図８】本願の実施例における基地局の構成の模式図である。
【発明を実施するための形態】
【０００９】
本発明の目的、解決手段、およびメリットをさらに明確にするために、以下、図面を参照しながら、実施例を挙げて、本願をさらに詳しく説明する。
【００１０】
図１ａは、本願の実施例におけるチャネル品質をフィードバックする方法のフローの模式図である。この方法は、第１のＵＥに用いられ、以下のステップを含む。
【００１１】
ステップ１１で、第１の時刻に送信された第１の下り信号を受信し、第１の下り信号に基づいて、第１のチャネル品質値を推定する。
【００１２】
第１の下り信号（第１の下りデータと呼ばれることもある）とは、例えば、パイロット信号のような、基地局から第１のＵＥへ送信されたチャネル推定用の下り信号を指す。パイロット信号は、例えば、セル参照信号（ＣＲＳ）、ＵＥ固有参照信号（ＵＥ−ｓｐｅｃｉｆｉｃ  ＲＳ）などの下り参照信号（ＲＳ）であってもよい。
【００１３】
チャネル品質値は、チャネル品質を表すための数値である。チャネル品質値は、例えば、信号対干渉雑音比（ＳＩＮＲ）、信号対雑音比（ＳＮＲ）、信号対干渉比（ＳＩＲ）、キャリア対干渉比（ＣＩＲ）、参照信号受信品質（ＲＳＲＱ）などであってもよい。
【００１４】
ステップ１２で、前記第１の時刻後の第２の時刻に送信された第２の下り信号を受信し、前記第２の下り信号に基づいて、基地局がマルチユーザ伝送を行うときの第２のチャネル品質値を推定する。
【００１５】
マルチユーザ伝送とは、同じ時間周波数リソースを用いた、基地局から前記第１のＵＥを含めた複数のＵＥへの下り伝送を指す。
【００１６】
第２の下り信号（第２の下りデータと呼ばれることもある）とは、例えば、マルチユーザ伝送の制御信号のような、基地局から第１のＵＥへ送信されたマルチユーザ伝送用の下り信号を指す。第１のＵＥは、第２の下り信号から、マルチユーザ伝送のパラメータを取得し、前記マルチユーザ伝送のパラメータを用いて、前記第２のチャネル品質値を推定してもよい。マルチユーザ伝送のパラメータは、マルチユーザ伝送時に前記第１のＵＥに割り当てられた電力およびプリコーディング行列、並びに、前記複数のＵＥのうち、少なくとも１つの第２のＵＥに割り当てられた電力を含んでもよい。
【００１７】
ステップ１３で、前記第１のチャネル品質値および前記第２のチャネル品質値に基づいて、チャネル品質調整因子を算出し、前記チャネル品質調整因子を基地局にフィードバックする。
【００１８】
基地局は、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行ってもよい。
【００１９】
本願の実施例では、ＵＥは、マルチユーザ伝送の場合に対して、マルチユーザ伝送時のチャネル品質を推定し、このチャネル品質に基づいて、チャネル品質調整因子を算出し、チャネル品質調整因子を基地局にフィードバックする。このように、基地局は、チャネル品質調整因子を用いて、マルチユーザ伝送時の該ＵＥのチャネル品質の推定値を調整し、調整された推定値に基づいて、マルチユーザ伝送を行うことが可能になり、後続の伝送におけるＭＣＳの正確性を効果的に改善し、システムスループットおよびユーザスループットを向上させることができる。
【００２０】
図１ｂは、本願の実施例におけるチャネル品質をフィードバックする方法のフローの模式図である。この方法は、第１のＵＥに用いられる。この実施例では、ＳＩＮＲをチャネル品質値とする場合を例として説明する。この方法は、以下のステップを含む。
【００２１】
ステップ１０１で、第１の時刻に送信された第１の下りデータを受信し、第１の下りデータに基づいて、第１のＳＩＮＲを推定する。
【００２２】
本明細書では、下りデータとは、ユーザデータ、パイロットデータ、または制御シグナリングデータを指してもよい。
【００２３】
具体的な実現では、ＳＩＮＲは、受信された有用な信号の強度と、受信された干渉信号および雑音の強度との比率である。第１の下りデータは、例えば、セル参照信号（ＣＲＳ）のような下り参照信号（ＲＳ）であってもよい。第１のＵＥは、受信されたＲＳに基づいて、第１のＳＩＮＲを推定してもよい。これは、数式１と表される。
【数１】
2019512906.tif 000003
【００２４】
ステップ１０２で、受信された第２の下りデータに基づいて、第２のＳＩＮＲを推定する。
【００２５】
ここで、第２の下りデータは、第１の時刻後の第２の時刻に送信される。第２の下りデータには、第１のＵＥへ送信されたデータが含まれる。このように、第１のＵＥは、受信されたデータ信号に基づいて、第２のＳＩＮＲを推定する。これは、数式２と表される。
【数２】
2019512906.tif 000004
【００２６】
ステップ１０３で、第１のＳＩＮＲおよび第２のＳＩＮＲに基づいて、ＣＱＩ調整因子（即ち、チャネル品質調整因子）を算出し、ＣＱＩ調整因子を基地局にフィードバックする。
【００２７】
一実施例では、ＣＱＩ調整因子γの算出は、数式３と表されてもよい。
【数３】
2019512906.tif 000005
【００２８】
マルチユーザ伝送の典型的なシナリオでは、図２に示すように、基地局は、複数のユーザであるＵＥ１、ＵＥ２、ＵＥ３、およびＵＥ４に同時にサービスを提供する。ユーザに割り当てられたリソースが直交しているか否かに応じて、基地局は、直交マルチユーザマルチアンテナ（ＭＵ−ＭＩＭＯ）伝送を採用するか、それとも、非直交多元接続（ＮＯＭＡ）伝送を採用するかを決定することができる。
【００２９】
具体的には、ＭＵ−ＭＩＭＯ伝送は、直交多元接続技術に属し、複数のユーザに、直交するリソースが割り当てられる。例えば、異なる空間リソースを用いて、図２のＵＥ１およびＵＥ３へ同時に信号を送信する。ＮＯＭＡ伝送では、同一のリソースを複数のユーザに割り当てることができる。例えば、図２において、ＵＥ１とＵＥ２とのチャネル品質の相違が大きいため、基地局は、下りスケジューリング時に、ＵＥ１およびＵＥ２に、非直交のリソースを割り当て、例えば、同一の時間周波数リソースブロックを使用させるが、異なる電力を割り当てる。このように、複数のユーザのチャネル品質の相違を多重化利得に変換することができる。ＵＥ側では、直列干渉除去技術を用いて、逆多重化を行ってもよい。同様に、ＵＥ３およびＵＥ４も、ＮＯＭＡ伝送方式を採用してもよい。
【００３０】
ＭＵ−ＭＩＭＯ伝送について、ＵＥ１およびＵＥ３を例とする場合、その中の第１のＵＥは、ＵＥ１であってもよい。ＵＥ１は、ＣＱＩをフィードバックする際に、第２の時刻に下りデータを実際に伝送する（即ち、マルチユーザ伝送を行う）とき受ける、ＵＥ３からの干渉、および、隣接セルにおける他のＵＥによる干渉を知ることができない。ここで、ＵＥ１およびＵＥ３は、直交するリソースを使用するので、上記の干渉は、主に隣接セルにおける他のＵＥからのものである。
【００３１】
非直交リソースでのＮＯＭＡ伝送について、ＵＥ１およびＵＥ２を例とする場合、その中の第１のＵＥは、ＵＥ１であってもよい。両者が電力次元において非直交であるため、ＵＥ１は、ＣＱＩをフィードバックする際に、マルチユーザ伝送時に自局と対になるＵＥ２による干渉、および、隣接セルにおける他のＵＥによる干渉を知ることができない。ここで、非直交伝送であるので、上記の干渉は、主に同セルにおいて自局と対になるＵＥ２からのものである。
【００３２】
ここから分かるように、直交ＭＵ−ＭＩＭＯまたは非直交ＮＯＭＡ伝送の場合、ＵＥ１から基地局へフィードバックされたＣＱＩは、実際な下りデータ伝送時の実際ＣＱＩと相違が大きい。これにより、基地局によるスケジューリング時に決定されたＭＣＳの正確性が低下するので、スケジューリング時に参照されるＣＱＩの調整を行う必要がある。
【００３３】
上記の実施例で提供された方法によれば、第１のＵＥ自身が、前後の２つの時刻のＳＩＮＲに基づいてＣＱＩ調整因子を推算して、さらに基地局にフィードバックすることにより、基地局は、このＣＱＩ調整因子に基づいて、後続のマルチユーザ伝送に使用するＭＣＳを決定することが可能になり、マルチユーザ伝送におけるＭＣＳの正確性を効果的に改善し、システムスループットおよびユーザスループットを向上させることができる。
【００３４】
図３は、本願の他の実施例におけるＣＱＩを調整する方法のフローの模式図である。この方法は、第１のＵＥに用いられ、以下のステップを含む。
【００３５】
ステップ３０１で、複数の候補調整値を予め設定する。
ここで、候補調整値（候補ＣＱＩ調整値とも呼ばれる）の数値は、第１のＵＥによって固定数値に予め設定されてもよく、または、第１のＵＥが干渉電力調整値λに基づいて量子化して得られてもよい。ここで、干渉電力調整値λに基づく具体的な方法は、ステップ３０４に示される。第１のＵＥは、毎回算出された干渉電力調整値λを記憶し、以下の手順によって、Ｌ個の候補ＣＱＩ調整値α１，・・・，αＬを得る。
【００３６】
ステップ３０１１で、第２の時刻前に算出された干渉電力調整値の確率分布を統計する。
ステップ３０１２で、確率分布に基づいて、各干渉電力調整値に対応する確率値ｐを決定する。
【００３７】
ステップ３０１３で、確率値をグループ分けする。
確率閾値ｐｔｈを予め設定し、この確率閾値より大きい全ての確率値ｐ１，・・・，ｐＭを取り出し、その後、数値が近い確率値を１つのグループとする。各グループ内の確率値の個数は、同じであっても異なってもよい。
【００３８】
ステップ３０１４で、各グループ内の確率値に対応する干渉電力調整値λを平均化して、得られた平均値をＬ個の候補ＣＱＩ調整値として決定する。
【００３９】
ここで、候補ＣＱＩ調整値の総数Ｌは、第１のＵＥによって予め設定されてもよい。Ｌの数値は、フィードバックされたＣＱＩ調整因子の精度に影響する。例えば、Ｌ＝４の場合、α１＝−０．１，α２＝０．１，α３＝０．２３，α４＝０．５６である。また、例えば、Ｌ＝８の場合、α１＝−０．３，α２＝−０．１５，α３＝０，α４＝０．１，α５＝０．２，α６＝０．３，α７＝０．５，α８＝０．７である。また、Ｌの数値は、ＣＱＩ調整値のフィードバックに使用する伝送リソースにも影響する。
【００４０】
図４ａは、本発明の一実施例における干渉電力調整値の確率分布の模式図であり、Ｌ＝４の場合に対応する。図４ａに示すように、横軸は干渉電力調整値であり、縦軸は確率値である。各干渉電力調整値それぞれは、１つの確率値に対応し、○印を付けた直線で表される。確率閾値ｐｔｈ＝２％であり、確率閾値ｐｔｈより高い確率値は、全部で１０個の数値を含み、即ち、Ｍ＝１０である。これらの１０個の確率値を、数値の近接の原則に沿って、図４ａにおける標識「グループ１」〜「グループ４」に示すように、全部で４つのグループに分ける。ここで、「グループ１」は４つの確率値を含み、「グループ２」は１つの確率値を含み、「グループ３」は２つの確率値を含み、「グループ４」は３つの確率値を含む。各グループ毎の確率値に対応する干渉電力調整値を平均化して、α１〜α４を得る。
【００４１】
図４ｂは、本発明の一実施例における干渉電力調整値の確率分布の模式図であり、Ｌ＝８の場合に対応する。図４ｂにおける確率分布は、図４ａと同様である。確率閾値ｐｔｈより高い１０個の確率値を、図４ｂにおける標識「グループ１」〜「グループ８」に示すように、８つのグループに分ける。ここで、「グループ２」および「グループ７」は、それぞれ２つの確率値を含み、他のグループは、それぞれ１つの確率値を含む。各グループ毎の確率値に対応する干渉電力調整値を平均化して、α１〜α８を得る。
【００４２】
ステップ３０２で、第１の時刻に送信された第１の下りデータを受信し、第１の下りデータに基づいて、第１のＳＩＮＲを推定する。
【００４３】
ステップ３０３で、受信された第２の下りデータに基づいて、第２のＳＩＮＲを推定し、基地局によって第２の下りデータの送信時に第１のＵＥに割り当てられた第１の電力と、第２のＵＥに割り当てられた第２の電力とを取得する。
【００４４】
基地局は、複数のＵＥへ下りデータを送信するとき、下り制御シグナリングを介して、対になる全てのＵＥのそれぞれに割り当てられた電力を各ＵＥに知らせる。例えば、第１のＵＥと対になるのは、第２のＵＥである。基地局は、第１のＵＥに割り当てられた第１の電力β１と、第２のＵＥに割り当てられた第２の電力β２とを、第１のＵＥに知らせる。
【００４５】
ステップ３０４で、第１のＳＩＮＲおよび第２のＳＩＮＲに基づいて、ＣＱＩ調整因子を算出する。
【００４６】
第１のＳＩＮＲ（ＳＩＮＲ１）、第２のＳＩＮＲ（ＳＩＮＲ２）、第１の電力β１、および第２の電力β２に基づいて、干渉電力調整値λを算出し、干渉電力調整値λと各候補ＣＱＩ調整値α１，・・・，αＬとの差を決定し、決定された差のうち、最小となる差に対応する候補ＣＱＩ調整値をＣＱＩ調整因子とする。
【００４７】
一実施例では、第１のＵＥと対になるのは、第２のＵＥであり、第１のＵＥは、下り制御シグナリングから、基地局によって第１のＵＥに割り当てられた空間リソースと、第２のＵＥに割り当てられた空間リソースとが同じであるか否かを決定する。空間リソースが同じであるか否かに応じて、該第１のＵＥおよび第２のＵＥが直交ＭＵ−ＭＩＭＯ伝送を行うか、それとも、非直交ＮＯＭＡ伝送を行うかを判断することができる。
【００４８】
具体的には、第１のＵＥは、基地局によって第１のＵＥに割り当てられた空間リソースと、第２のＵＥに割り当てられた空間リソースとが同じではなく、例えば、直交するリソースを用いてＭＵ−ＭＩＭＯ伝送を実現すると決定した場合、以下の数式４のような等式によって、干渉電力調整値λを推算する。
【数４】
2019512906.tif 000006
【００４９】
第１のＵＥは、基地局によって第１のＵＥに割り当てられた空間リソースと、第２のＵＥに割り当てられた空間リソースとが同じであり、例えば、非直交のリソースを用いてＮＯＭＡ伝送を実現すると決定し、かつ、第１の電力β１が第２の電力β２以上であり、即ち、第１のＵＥが第２のＵＥよりも遠距離ユーザである場合、以下の数式５のような等式によって、干渉電力調整値λを推算する。
【数５】
2019512906.tif 000007
【００５０】
ＮＯＭＡ伝送の場合、第１の電力β１が第２の電力β２より小さく、即ち、第１のＵＥが第２のＵＥよりも近距離ユーザであるとき、ＣＱＩ調整因子をフィードバックする必要がない。このとき、上りリソースにおける干渉電力調整値λをフィードバックするための情報フィールドにＮｕｌｌを設定してもよい。
【００５１】
指摘すべきものとして、第２のＵＥは、第１のＵＥと対になり、かつ、直交するリソース（例えば、異なる空間リソース）を使用するＵＥを少なくとも１つ含んでもよい。図２に示すように、第１のＵＥがＵＥ１である場合、第２のＵＥは、ＵＥ３であってもよく、または、第２のＵＥは、ＵＥ３およびＵＥ４を含む。第２のＵＥが第１のＵＥと対になる複数のＵＥを含む場合、第２の電力β２は、第１のＵＥと対になる全てのＵＥのそれぞれに割り当てられた電力の和である。
【００５２】
他の実施例では、第２のＵＥは、第３のＵＥおよび第４のＵＥを含み、第２の電力は、第３のＵＥに割り当てられた第３の電力β３と、第４のＵＥに割り当てられた第４の電力β４とを含む。第１のＵＥ、第３のＵＥ、および第４のＵＥは、直交ＭＵ−ＭＩＭＯ伝送および非直交ＮＯＭＡ伝送を同時に実現する。この場合、第１のＵＥは、下り制御シグナリングから、基地局によって第１のＵＥに割り当てられた空間リソースと、第３のＵＥに割り当てられた空間リソースとが同じではなく、即ち、第１のＵＥと第３のＵＥとの間でＭＵ−ＭＩＭＯ伝送を実現し、基地局によって第１のＵＥに割り当てられた空間リソースと、第４のＵＥに割り当てられた空間リソースとが同じであり、即ち、第１のＵＥと第４のＵＥとの間でＮＯＭＡ伝送を実現することを決定する。
【００５３】
図２に示すように、第１のＵＥがＵＥ１である場合、第３のＵＥは、ＵＥ３であってもよく、または、第３のＵＥは、ＵＥ３およびＵＥ４を含み、第４のＵＥは、ＵＥ２であってもよい。第３のＵＥが複数のＵＥを含む場合、第３の電力β３は、異なる空間リソースを使用する、第１のＵＥと対になる全てのＵＥのそれぞれに割り当てられた電力の和であり、例えば、ＵＥ３およびＵＥ４に割り当てられた電力の和である。第４のＵＥが複数のＵＥを含む場合、第４の電力β４は、同じ空間リソースを使用する、第１のＵＥと対になる全てのＵＥのそれぞれに割り当てられた電力の和である。
【００５４】
第１の電力β１が第４の電力β４より大きく、即ち、第１のＵＥが第４のＵＥよりも遠距離ユーザであることが表される場合、以下の数式６のような等式によって、干渉電力調整値λを推算する。
【数６】
2019512906.tif 000008
【００５５】
第１の電力β１が第４の電力β４以下であり、即ち、第１のＵＥが第４のＵＥよりも近距離ユーザであることが表される場合、例えば、図２において、ＵＥ１がＵＥ２よりも近距離ユーザである場合、以下の数式７のような等式によって、干渉電力調整値λを推算する。
【数７】
2019512906.tif 000009
【００５６】
ステップ３０５で、ＣＱＩ調整因子を基地局にフィードバックする。
本ステップにおいて、ＵＥがＣＱＩ調整因子を基地局にフィードバックするか否かは、上位層シグナリング（例えば、無線リソース制御（ＲＲＣ）シグナリング）によって半静的に設定され、または下り制御シグナリングによって基地局で動的に設定されてもよい。
【００５７】
受信されたシグナリングから、フィードバックする必要があることを知ると、第１のＵＥは、物理上り制御チャネル（ＰＵＣＣＨ）または物理上り共有チャネル（ＰＵＳＣＨ）で、ＣＱＩ調整因子を基地局にフィードバックしてもよい。
【００５８】
図５は、本発明の一実施例におけるＣＱＩを調整する方法のシグナリング図である。図５に示すように、この方法は、以下のステップを含む。
【００５９】
ステップ５０１で、基地局は、第１の時刻に第１のＵＥへ下り参照信号を送信する。
ステップ５０２で、第１のＵＥは、受信された下り参照信号に基づいて、第１のＳＩＮＲおよび第１のＣＱＩを推定する。
【００６０】
ステップ５０３で、第１のＵＥは、基地局へ第１のＣＱＩをフィードバックする。
ステップ５０４で、基地局は、受信された第１のＣＱＩに基づいてユーザをスケジューリングし、第１のＵＥをスケジューリングすると決定した場合、第１のＣＱＩに基づいて、第１のＵＥに使用する第１のＭＣＳを決定する。
【００６１】
ステップ５０５で、基地局は、第１のＵＥを再度スケジューリングし、第１のＭＣＳにしたがって、第２の時刻に第１のＵＥへ第２の下りデータを送信し、下り制御シグナリングを介して、第１のＵＥに対し、ＣＱＩ調整因子をフィードバックするよう通知する。
【００６２】
例えば、基地局は、物理下り制御チャネル（ＰＤＣＣＨ）において、指示ビットを設定する。ＵＥは、この指示ビットを受信すると、この指示ビットから、ＣＱＩ調整因子をフィードバックする必要があるか否かを知る。この設定は、動的な設定であってもよく、ＵＥは、この指示ビットを受信して始めて、ＣＱＩ調整因子の算出を行う。例えば、基地局は、下りハイブリッド自動再送要求（ＨＡＲＱ）の結果に基づいて、ブロック誤り率（ＢＬＥＲ）を統計し、該ＢＬＥＲが所定の閾値より大きい場合、ＰＤＣＣＨにおいて指示ビットを設定するようにしてもよい。
【００６３】
ステップ５０６で、第１のＵＥは、受信された第２の下りデータに基づいて、第２のＳＩＮＲおよび第２のＣＱＩを推定し、第１のＳＩＮＲおよび第２のＳＩＮＲに基づいて、ＣＱＩ調整因子を算出する。
【００６４】
ステップ５０７で、第１のＵＥは、基地局へ第２のＣＱＩおよびＣＱＩ調整因子をフィードバックする。
【００６５】
ステップ５０８で、基地局は、受信された第２のＣＱＩおよびＣＱＩ調整因子に基づいて、後続の第１のＵＥの下りデータの伝送に使用する第２のＭＣＳを決定する。
【００６６】
ステップ５０９で、基地局は、第１のＵＥを再度スケジューリングし、第２のＭＣＳにしたがって、第１のＵＥのデータに対して符号化および調整を行い、第３の時刻に第１のＵＥへ第３の下りデータを送信する。
【００６７】
ここで、ＳＩＮＲまたはＣＱＩに基づいてＭＣＳを決定する方法は、ＬＴＥ／ＬＴＥ−Ａプロトコルにおけるアルゴリズムを参照すればよく、ここで説明を省略する。
【００６８】
図６は、本発明の他の実施例におけるＣＱＩを調整する方法のフローの模式図である。この方法は、基地局に用いられ、図６に示すように、以下のステップを含む。
【００６９】
ステップ６０１で、第１の時刻に第１のＵＥへ第１の下りデータを送信することにより、第１のＵＥが、第１の下りデータに基づいて、第１のＳＩＮＲを推定するようにする。
【００７０】
本ステップにおいて、第１のＵＥは、第１の下りデータに基づいて、第１のＣＱＩも同時に推定してもよい。これにより、第１のＣＱＩを基地局にフィードバックして、ステップ６０２において第２の下りデータの送信に使用する第１のＭＣＳを決定することに用いる。
【００７１】
ステップ６０２で、第２の時刻に第１のＵＥへ第２の下りデータを送信することにより、第１のＵＥが、第２の下りデータに基づいて、第２のＳＩＮＲを推定し、第１のＳＩＮＲおよび第２のＳＩＮＲに基づいて、チャネル品質指示（ＣＱＩ）調整因子を算出するようにする。
【００７２】
本ステップにおいて、第１のＵＥは、第２の下りデータに基づいて、第２のＣＱＩも同時に推定してもよい。これにより、第２のＣＱＩを基地局にフィードバックして、ステップ６０４における第３の下りデータの送信に使用する第２のＭＣＳを決定することに用いる。
【００７３】
ステップ６０３で、第１のＵＥからフィードバックされたＣＱＩ調整因子を受信する。
ステップ６０４で、ＣＱＩ調整因子に基づいて、第１のＵＥへの第３の下りデータの送信に使用する第２のＭＣＳを決定する。
【００７４】
本ステップにおいて、基地局は、第２の下りデータの送信時に第１のＵＥに割り当てられた第１の電力β１、第２のＵＥに割り当てられた第２の電力β２、およびＣＱＩ調整因子γに基づいて、第３のＳＩＮＲ（ＳＩＮＲ３と表される）を算出し、その後、第３のＳＩＮＲに基づいて、第３の下りデータに使用する第２のＭＣＳを決定する。ここで、第３の下りデータは、第２の時刻後の第３の時刻に送信される。
【００７５】
一実施例では、基地局は、第１のＵＥと第２のＵＥとが対になるユーザであるように再度スケジューリングするとき、第１のＵＥおよび第２のＵＥに空間リソースを割り当てる。第１のＵＥに割り当てられた空間リソースと、第２のＵＥに割り当てられた空間リソースとが同じではなく、例えば、直交するリソースを用いてＭＵ−ＭＩＭＯ伝送を実現する場合、以下の数式８によって、第３のＳＩＮＲを算出する。
【数８】
2019512906.tif 000010
【００７６】
第１のＵＥに割り当てられた空間リソースと、第２のＵＥに割り当てられた空間リソースとが同じであり、例えば、非直交のリソースを用いてＮＯＭＡ伝送を実現し、かつ、第１の電力β１が第２の電力β２以上であり、即ち、第１のＵＥが第２のＵＥよりも遠距離ユーザである場合、以下の数式９によって、第３のＳＩＮＲを算出する。
【数９】
2019512906.tif 000011
【００７７】
指摘すべきものとして、ＮＯＭＡ伝送について、第１の電力β１が第２の電力β２より小さく、即ち、第１のＵＥが第２のＵＥよりも近距離ユーザである場合、基地局は、ユーザからフィードバックされた第２のＣＱＩに基づいて（ステップ６０２に記載されたように）、第３のＳＩＮＲを決定してもよい。
【００７８】
他の実施例では、基地局は、第１のＵＥ、第３のＵＥ、および第４のＵＥが対になるユーザであるように再度スケジューリングする場合、第１のＵＥ、第３のＵＥ、および第４のＵＥに空間リソースを割り当て、直交ＭＵ−ＭＩＭＯ伝送および非直交ＮＯＭＡ伝送を同時に実現する。基地局によって第１のＵＥに割り当てられた空間リソースと、第３のＵＥに割り当てられた空間リソースとが同じではなく、即ち、第１のＵＥと第３のＵＥとの間でＭＵ−ＭＩＭＯ伝送を実現し、基地局によって第１のＵＥに割り当てられた空間リソースと、第４のＵＥに割り当てられた空間リソースとが同じであり、即ち、第１のＵＥと第４のＵＥとの間でＮＯＭＡ伝送を実現する。第１の電力が第４の電力より大きく、即ち、第１のＵＥが第４のＵＥよりも遠距離ユーザであることが表される場合、以下の数式１０によって、第３のＳＩＮＲを算出する。
【数１０】
2019512906.tif 000012
【００７９】
第１の電力が第４の電力以下であり、即ち、第１のＵＥが第４のＵＥよりも近距離ユーザであることが表される場合（例えば、図２において、ＵＥ１がＵＥ２よりも近距離ユーザである）、以下の数式１１によって、第３のＳＩＮＲを算出する。
【数１１】
2019512906.tif 000013
【００８０】
ステップ６０２に記載されたように、第１のＵＥが基地局へ第２のＣＱＩ（ＣＱＩ２と表される）をフィードバックする場合、上記数式８〜１１において、雑音電力Ｎ＝１／ＣＱＩ２である。
【００８１】
図７は、本願の一実施例におけるユーザ機器７００の構成の模式図である。このユーザ機器７００は、第１の時刻に送信された第１の下り信号と、第１の時刻後の第２の時刻に送信された第２の下り信号とを受信する受信モジュール７１０と、受信モジュール７１０で受信された第１の下りデータに基づいて、第１のチャネル品質値（例えば、ＳＩＮＲ）を推定し、第２の下りデータに基づいて、基地局がマルチユーザ伝送を行うときの第２のチャネル品質値を推定する推定モジュール７２０と、推定モジュール７２０で得られた第１のチャネル品質値および第２のチャネル品質値に基づいて、チャネル品質調整因子を算出する算出モジュール７３０と、チャネル品質調整因子を基地局にフィードバックするフィードバックモジュール７４０と、を備える。
【００８２】
一実施例では、ユーザ機器７００は、複数の候補調整値を予め設定する設定モジュール７５０をさらに備える。
【００８３】
これに応じて、受信モジュール７１０は、さらに、下り制御シグナリングを受信することにより、基地局によって第２の下り信号の送信時にマルチユーザ伝送のためにＵＥに割り当てられた第１の電力と、第２のＵＥに割り当てられた第２の電力とを取得する。
【００８４】
一実施例では、算出モジュール７３０は、第１のチャネル品質値、第２のチャネル品質値、受信モジュール７１０で取得された第１の電力および第２の電力に基づいて、干渉電力調整値を算出し、干渉電力調整値と、設定モジュール７５０で設定された各候補調整値との差を決定し、決定された差のうち、最小となる差に対応する候補調整値をチャネル品質調整因子とする。
【００８５】
一実施例では、設定モジュール７５０は、第２の時刻前に算出された干渉電力調整値の確率分布を統計し、確率分布に基づいて、各干渉電力調整値に対応する確率値を決定し、確率値をグループ分けし、各グループ内の確率値に対応する干渉電力調整値を平均化して、得られた平均値を候補調整値として決定する。
【００８６】
一実施例では、推定モジュール７２０は、前記第２の下り信号から、マルチユーザ伝送のパラメータを取得し、前記マルチユーザ伝送のパラメータを用いて、前記第２のチャネル品質値を推定し、前記マルチユーザ伝送のパラメータは、前記第１のＵＥに割り当てられた電力およびプリコーディング行列、並びに、前記複数のＵＥのうち、少なくとも１つの第２のＵＥに割り当てられた電力を含む。
【００８７】
一実施例では、受信モジュール７１０は、さらに、無線リソース制御（ＲＲＣ）シグナリングを受信し、フィードバックモジュール７４０は、さらに、受信モジュール７１０で受信されたＲＲＣシグナリングに応じて、チャネル品質調整因子を基地局にフィードバックする。
【００８８】
一実施例では、フィードバックモジュール７４０は、物理上り制御チャネル（ＰＵＣＣＨ）または物理上り共有チャネル（ＰＵＳＣＨ）で、チャネル品質調整因子を基地局にフィードバックする。
【００８９】
図８は、本発明の一実施例における基地局８００の構成の模式図である。この基地局８００は、第１の時刻に第１の下り信号を送信することにより、第１のユーザ機器（ＵＥ）が、第１の下り信号に基づいて、第１のチャネル品質値を推定するようにし、第２の時刻に第２の下り信号を送信することにより、第１のＵＥが、第２の下り信号に基づいて、前記基地局がマルチユーザ伝送を行うときの第２のチャネル品質値を推定し、第１のチャネル品質値および第２のチャネル品質値に基づいて、チャネル品質調整因子を算出するようにする送信モジュール８１０と、第１のＵＥからフィードバックされたチャネル品質調整因子を受信する受信モジュール８２０と、受信モジュール８２０で受信されたチャネル品質調整因子に基づいて、第１のＵＥの下り信号に使用する変調符号化方式（ＭＣＳ）を決定するスケジューリングモジュール８３０と、を備える。
【００９０】
一実施例では、前記第２の下り信号は、前記第１のＵＥに割り当てられたマルチユーザ伝送用の電力およびプリコーディング行列、並びに、前記複数のＵＥのうち、少なくとも１つの第２のＵＥに割り当てられたマルチユーザ伝送用の電力を含んでもよい。
【００９１】
一実施例では、スケジューリングモジュール８３０は、第２の下り信号の送信時に第１のＵＥに割り当てられた第１の電力、第２のＵＥに割り当てられた第２の電力、およびチャネル品質調整因子に基づいて、第３のチャネル品質値（例えば、ＳＩＮＲ）を算出し、第３のチャネル品質値に基づいて、第２の時刻後の第３の時刻に送信される第３の下り信号に使用するＭＣＳを決定する。
【００９２】
一実施例では、スケジューリングモジュール８３０は、第１のＵＥおよび第２のＵＥに空間リソースを割り当て、第１のＵＥに割り当てられた空間リソースと、第２のＵＥに割り当てられた空間リソースとが同じではない場合、
2019512906.tif 000014
によって、第３のチャネル品質値を算出し、第１のＵＥに割り当てられた空間リソースと、第２のＵＥに割り当てられた空間リソースとが同じであり、かつ、第１の電力が第２の電力以上である場合、
2019512906.tif 000015
によって、第３のチャネル品質値を算出し、ここで、γはチャネル品質調整因子であり、β１は第１の電力であり、β２は第２の電力であり、Ｎは雑音電力である。
【００９３】
一実施例では、第２のＵＥは、第３のＵＥおよび第４のＵＥを含み、第２の電力は、第３のＵＥに割り当てられた第３の電力と、第４のＵＥに割り当てられた第４の電力とを含む。
【００９４】
スケジューリングモジュール８３０は、第１のＵＥに割り当てられた空間リソースと、第３のＵＥに割り当てられた空間リソースが同じではなく、基地局によって第１のＵＥに割り当てられた空間リソースと、第４のＵＥに割り当てられた空間リソースとが同じであるように、第１のＵＥ、第３のＵＥ、および第４のＵＥに空間リソースを割り当て、第１の電力が第４の電力より大きい場合、
2019512906.tif 000016
によって、第３のチャネル品質値を算出し、第１の電力が第４の電力以下である場合、
2019512906.tif 000017
によって、第３のチャネル品質値を算出し、ここで、γはチャネル品質調整因子であり、β１は第１の電力であり、β３は第３の電力であり、β４は第４の電力であり、Ｎは雑音電力である。
【００９５】
一実施例では、基地局８００は、下りハイブリッド自動再送要求の結果に基づいて、ブロック誤り率を統計し、ブロック誤り率が所定の閾値より大きい場合、送信モジュール８１０へ制御指令を送信する制御モジュール８４０をさらに備える。
【００９６】
これに応じて、送信モジュール８１０は、さらに、制御指令にしたがって、下り制御シグナリングを送信して、ＵＥに対し、チャネル品質調整因子をフィードバックするよう通知する。
【００９７】
本発明の実施例で提供されたチャネル品質をフィードバックする方法によれば、ＵＥが、チャネル品質調整因子を算出し、このチャネル品質調整因子を基地局にフィードバックすることにより、基地局は、ＵＥで推定されたマルチユーザ伝送時のチャネル品質偏差を知ることができる。さらに、基地局は、このチャネル品質調整因子に基づいて、実際な下り信号伝送に使用するＭＣＳを決定することが可能になり、後続の伝送におけるＭＣＳの正確性を効果的に改善し、下りスケジューリングの正確性を向上させることができる。
【００９８】
説明すべきものとして、上述した各フローおよび各構成図中、全てのステップおよびモジュールが必須であるのではなく、実際の必要に応じて、若干のステップまたはモジュールを無視してもよい。各ステップの実行順序は、一定ではなく、必要に応じて調整してもよい。各モジュールの分割は、説明の便宜上、機能的な分割に過ぎず、実際に実現する際に、１つのモジュールが、分離した複数のモジュールによって実現されてもよいし、複数のモジュールの機能が、同一のモジュールによって実現されてもよい。これらのモジュールは、同一の機器に位置してもよいし、異なる機器に位置してもよい。また、上記の説明に使用する「第１の」、「第２の」は、同一の意味を持つ２つの対象を便利に区別するためのものにすぎず、実質的な相違があることを表すのではない。
【００９９】
各例におけるモジュールは、ハードウェア方式で、または、ハードウェアプラットフォーム・ソフトウェア方式で、実現されてもよい。
【０１００】
ハードウェアは、専用のハードウェア、または機械可読指令を実行するハードウェアによって実現されてもよい。例えば、ハードウェアは、特定の処理を実行するための、特別に設定された永久的な回路またはロジックデバイス（例えば、ＦＰＧＡやＡＳＩＣのような専用プロセッサ）であってもよい。ハードウェアは、特定の処理を実行するための、ソフトウェアによって一時的に設定されたプログラマブルロジックデバイスまたは回路（例えば、汎用プロセッサや他のプログラマブルプロセッサを含む）を含んでもよい。
【０１０１】
ソフトウェアは、機械可読指令を含み、不揮発性記憶媒体に記憶される。このため、各実施例は、ソフトウェア製品と表現されてもよい。機械可読指令は、コンピュータで動作するオペレーティングシステムなどに、ここで説明した一部または全部の処理を実行させることができる。不揮発性コンピュータ可読記憶媒体は、コンピュータ内の拡張ボードに設けられたメモリに差し込まれたり、コンピュータに接続された拡張ユニットに設けられたメモリに書き込まれたりしてもよい。拡張ボードまたは拡張ユニットに装着されたＣＰＵなどは、指令にしたがって、一部または全部の実際の処理を実行することができる。
【０１０２】
不揮発性コンピュータ可読記憶媒体は、フロッピーディスク、ハードディスク、光磁気ディスク、光ディスク（例えば、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ）、磁気テープ、不揮発性メモリカード、およびＲＯＭを含む。選択肢として、通信ネットワークによって、サーバコンピュータからプログラムコードをダウンロードしてもよい。
【０１０３】
上記をまとめると、請求の範囲は、上記で説明した例における実施形態に限定されるものではなく、明細書を全体として参照して最も広く解釈されるべきである。
【符号の説明】
【０１０４】
７００  ユーザ機器
７１０  受信モジュール
７２０  推定モジュール
７３０  算出モジュール
７４０  フィードバックモジュール
７５０  設定モジュール
８００  基地局
８１０  送信モジュール
８２０  受信モジュール
８３０  スケジューリングモジュール
８４０  制御モジュール
【図１ａ】
2019512906.tif 000026
【図１ｂ】
2019512906.tif 000027
【図２】
2019512906.tif 000028
【図３】
2019512906.tif 000029
【図４ａ】
2019512906.tif 000030
【図４ｂ】
2019512906.tif 000031
【図５】
2019512906.tif 000032
【図６】
2019512906.tif 000033
【図７】
2019512906.tif 000034
【図８】
2019512906.tif 000035
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
チャネル品質をフィードバックする方法であって、第１のユーザ機器（ＵＥ）に用いられ、
第１の時刻に送信された第１の下り信号を受信し、前記第１の下り信号に基づいて、第１のチャネル品質値を推定し、
前記第１の時刻後の第２の時刻に送信された第２の下り信号を受信し、前記第２の下り信号に基づいて、基地局がマルチユーザ伝送を行うときの第２のチャネル品質値を推定し、
前記第１のチャネル品質値および前記第２のチャネル品質値に基づいて、チャネル品質調整因子を算出し、
前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供する、ことを含み、
前記マルチユーザ伝送は、同じ時間周波数リソースを用いた、基地局から前記第１のＵＥを含めた複数のＵＥへの下り伝送である、ことを特徴とする方法。
【請求項２】
複数の候補調整値を予め設定し、
前記基地局によって前記第２の下り信号の送信時に前記第１のＵＥに割り当てられた第１の電力と、第２のＵＥに割り当てられた第２の電力とを取得する、ことをさらに含み、
前記第１のチャネル品質値および前記第２のチャネル品質値に基づいて、チャネル品質調整因子を算出することは、
前記第１のチャネル品質値、前記第２のチャネル品質値、前記第１の電力、および前記第２の電力に基づいて、干渉電力調整値を算出し、
前記干渉電力調整値と各候補調整値との差を決定し、決定された差のうち、最小となる差に対応する候補調整値を前記チャネル品質調整因子とする、ことを含むことを特徴とする請求項１に記載の方法。
【請求項３】
前記複数の候補調整値を予め設定することは、
前記第２の時刻前に算出された干渉電力調整値の確率分布を統計し、前記確率分布に基づいて、各干渉電力調整値に対応する確率値を決定し、
前記確率値をグループ分けし、各グループ内の確率値に対応する干渉電力調整値を平均化して、得られた平均値を前記候補調整値として決定する、ことを含む、ことを特徴とする請求項２に記載の方法。
【請求項４】
前記第１のチャネル品質値、前記第２のチャネル品質値、前記第１の電力、および前記第２の電力に基づいて、干渉電力調整値を算出することは、
下り制御シグナリングから、前記基地局によって前記第１のＵＥに割り当てられた空間リソースと、前記第２のＵＥに割り当てられた空間リソースとが同じであるか否かを決定し、
前記基地局によって前記第１のＵＥに割り当てられた空間リソースと、前記第２のＵＥに割り当てられた空間リソースとが同じではないと決定した場合、
2019512906.tif 000036
によって、前記干渉電力調整値λを算出し、
前記基地局によって前記第１のＵＥに割り当てられた空間リソースと、前記第２のＵＥに割り当てられた空間リソースとが同じであると決定し、かつ、前記第１の電力が前記第２の電力以上である場合、
2019512906.tif 000037
によって、前記干渉電力調整値λを算出する、ことを含み、
ここで、ＳＩＮＲ１は前記第１のチャネル品質値であり、ＳＩＮＲ２は前記第２のチャネル品質値であり、β１は前記第１の電力であり、β１は前記第２の電力である、ことを特徴とする請求項２に記載の方法。
【請求項５】
前記第２のＵＥは、第３のＵＥおよび第４のＵＥを含み、前記第２の電力は、前記第３のＵＥに割り当てられた第３の電力と、前記第４のＵＥに割り当てられた第４の電力とを含み、
前記第１のチャネル品質値、前記第２のチャネル品質値、前記第１の電力、および前記第２の電力に基づいて、干渉電力調整値を算出することは、
下り制御シグナリングから、前記基地局によって前記第１のＵＥに割り当てられた空間リソースと、前記第３のＵＥに割り当てられた空間リソースとが同じではなく、前記基地局によって前記第１のＵＥに割り当てられた空間リソースと、前記第４のＵＥに割り当てられた空間リソースとが同じであることを決定し、
前記第１の電力が前記第４の電力より大きい場合、
2019512906.tif 000038
によって、前記干渉電力調整値λを算出し、
前記第１の電力が前記第４の電力以下である場合、
2019512906.tif 000039
によって、前記干渉電力調整値λを算出する、ことを含み、
ここで、ＳＩＮＲ１は前記第１のチャネル品質値であり、ＳＩＮＲ２は前記第２のチャネル品質値であり、β１は前記第１の電力であり、β３は前記第３の電力であり、β４は前記第４の電力である、ことを特徴とする請求項２に記載の方法。
【請求項６】
前記第２の下り信号に基づいて、基地局がマルチユーザ伝送を行うときの第２のチャネル品質値を推定することは、
前記第２の下り信号から、マルチユーザ伝送のパラメータを取得し、前記マルチユーザ伝送のパラメータを用いて、前記第２のチャネル品質値を推定する、ことを含む、ことを特徴とする請求項１に記載の方法。
【請求項７】
前記マルチユーザ伝送のパラメータは、前記第１のＵＥに割り当てられた電力およびプリコーディング行列、並びに、前記複数のＵＥのうち、少なくとも１つの第２のＵＥに割り当てられた電力を含む、ことを特徴とする請求項６に記載の方法。
【請求項８】
無線リソース制御（ＲＲＣ）シグナリングを介して、前記第１のＵＥに対し、前記チャネル品質調整因子を前記基地局にフィードバックするよう通知する、ことをさらに含むことを特徴とする請求項１乃至７のいずれか１項に記載の方法。
【請求項９】
ユーザ機器（ＵＥ）であって、
第１の時刻に送信された第１の下り信号と、第１の時刻後の第２の時刻に送信された第２の下り信号とを受信する受信モジュールと、
前記第１の下り信号に基づいて、第１のチャネル品質値を推定し、前記第２の下り信号に基づいて、基地局がマルチユーザ伝送を行うときの第２のチャネル品質値を推定する推定モジュールと、
前記第１のチャネル品質値および前記第２のチャネル品質値に基づいて、チャネル品質調整因子を算出する算出モジュールと、
前記チャネル品質調整因子を基地局にフィードバックして、前記基地局が、前記チャネル品質調整因子に基づいて、前記基地局で推定されたマルチユーザ伝送時の前記第１のＵＥのチャネル品質を調整し、調整された前記チャネル品質を用いて、マルチユーザ伝送を行うことに供するフィードバックモジュールと、を備え、
ここで、前記マルチユーザ伝送は、同じ時間周波数リソースを用いた、基地局から前記第１のＵＥを含めた複数のＵＥへの下り伝送である、ことを特徴とするＵＥ。
【請求項１０】
複数の候補調整値を予め設定する設定モジュールをさらに備え、
前記受信モジュールは、さらに、下り制御シグナリングを受信することにより、前記基地局によって前記第２の下り信号の送信時に前記ＵＥに割り当てられた第１の電力と、第２のＵＥに割り当てられた第２の電力とを取得し、
前記算出モジュールは、前記第１のチャネル品質値、前記第２のチャネル品質値、前記第１の電力、および前記第２の電力に基づいて、干渉電力調整値を算出し、前記干渉電力調整値と各候補調整値との差を決定し、決定された差のうち、最小となる差に対応する候補調整値を前記チャネル品質調整因子とする、ことを特徴とする請求項９に記載のＵＥ。
【請求項１１】
前記設定モジュールは、前記第２の時刻前に算出された干渉電力調整値の確率分布を統計し、前記確率分布に基づいて、各干渉電力調整値に対応する確率値を決定し、前記確率値をグループ分けし、各グループ内の確率値に対応する干渉電力調整値を平均化して、得られた平均値を前記候補調整値として決定する、ことを特徴とする請求項１０に記載のＵＥ。
【請求項１２】
前記推定モジュールは、前記第２の下り信号から、マルチユーザ伝送のパラメータを取得し、前記マルチユーザ伝送のパラメータを用いて、前記第２のチャネル品質値を推定し、前記マルチユーザ伝送のパラメータは、前記第１のＵＥに割り当てられた電力およびプリコーディング行列、並びに、前記複数のＵＥのうち、少なくとも１つの第２のＵＥに割り当てられた電力を含む、ことを特徴とする請求項１０に記載のＵＥ。
【請求項１３】
前記受信モジュールは、さらに、無線リソース制御（ＲＲＣ）シグナリングを受信し、
前記フィードバックモジュールは、さらに、前記受信モジュールで受信された前記ＲＲＣシグナリングに応じて、前記チャネル品質調整因子を前記基地局にフィードバックする、ことを特徴とする請求項９乃至１２のいずれか１項に記載のＵＥ。
【請求項１４】
前記フィードバックモジュールは、物理上り制御チャネル（ＰＵＣＣＨ）または物理上り共有チャネル（ＰＵＳＣＨ）で、前記チャネル品質調整因子を前記基地局にフィードバックする、ことを特徴とする請求項９乃至１２のいずれか１項に記載のＵＥ。
【請求項１５】
基地局であって、
第１の時刻に第１の下り信号を送信することにより、第１のユーザ機器（ＵＥ）が、前記第１の下り信号に基づいて、第１のチャネル品質値を推定するようにし、前記第１の時刻後の第２の時刻に第２の下り信号を送信することにより、前記第１のＵＥが、前記第２の下り信号に基づいて、前記基地局がマルチユーザ伝送を行うときの第２のチャネル品質値を推定し、前記第１のチャネル品質値および前記第２のチャネル品質値に基づいて、チャネル品質調整因子を算出するようにする送信モジュールと、
前記第１のＵＥからフィードバックされた前記チャネル品質調整因子を受信する受信モジュールと、
前記チャネル品質調整因子に基づいて、マルチユーザ伝送を行うとき前記第１のＵＥの下り信号に使用する変調符号化方式（ＭＣＳ）を決定するスケジューリングモジュールと、を備え、
前記マルチユーザ伝送は、同じ時間周波数リソースを用いた、前記基地局から前記第１のＵＥを含めた複数のＵＥへの下り伝送である、ことを特徴とする基地局。
【請求項１６】
前記スケジューリングモジュールは、前記第２の下り信号の送信時に前記第１のＵＥに割り当てられた第１の電力、第２のＵＥに割り当てられた第２の電力、および前記チャネル品質調整因子に基づいて、第３のチャネル品質値を算出し、前記第３のチャネル品質値に基づいて、前記第２の時刻後の第３の時刻に送信される第３の下り信号に使用するＭＣＳを決定する、ことを特徴とする請求項１５に記載の基地局。
【請求項１７】
前記スケジューリングモジュールは、前記第１のＵＥおよび前記第２のＵＥに空間リソースを割り当て、前記第１のＵＥに割り当てられた空間リソースと、前記第２のＵＥに割り当てられた空間リソースとが同じではない場合、
2019512906.tif 000040
によって、前記第３のチャネル品質値を算出し、前記第１のＵＥに割り当てられた空間リソースと、前記第２のＵＥに割り当てられた空間リソースとが同じであり、かつ、前記第１の電力が前記第２の電力以上である場合、
2019512906.tif 000041
によって、前記第３のチャネル品質値を算出し、ここで、γは前記チャネル品質調整因子であり、β１は前記第１の電力であり、β２は前記第２の電力であり、Ｎは雑音電力である、ことを特徴とする請求項１６に記載の基地局。
【請求項１８】
前記第２のＵＥは、第３のＵＥおよび第４のＵＥを含み、前記第２の電力は、前記第３のＵＥに割り当てられた第３の電力と、前記第４のＵＥに割り当てられた第４の電力とを含み、
前記スケジューリングモジュールは、前記第１のＵＥに割り当てられた空間リソースと、前記第３のＵＥに割り当てられた空間リソースが同じではなく、前記基地局によって前記第１のＵＥに割り当てられた空間リソースと、前記第４のＵＥに割り当てられた空間リソースとが同じであるように、前記第１のＵＥ、前記第３のＵＥ、および前記第４のＵＥに空間リソースを割り当て、前記第１の電力が前記第４の電力より大きい場合、
2019512906.tif 000042
によって、前記第３のチャネル品質値を算出し、前記第１の電力が前記第４の電力以下である場合、
2019512906.tif 000043
によって、前記第３のチャネル品質値を算出し、ここで、γは前記チャネル品質調整因子であり、β１は前記第１の電力であり、β３は前記第３の電力であり、β４は前記第４の電力であり、Ｎは雑音電力である、ことを特徴とする請求項１６に記載の基地局。
【請求項１９】
前記第２の下り信号は、前記第１のＵＥに割り当てられた電力およびプリコーディング行列、並びに、前記複数のＵＥのうち、少なくとも１つの第２のＵＥに割り当てられた電力を含む、ことを特徴とする請求項１５に記載の基地局。
【請求項２０】
下りハイブリッド自動再送要求の結果に基づいて、ブロック誤り率を統計し、前記ブロック誤り率が所定の閾値より大きい場合、前記送信モジュールへ制御指令を送信する制御モジュールをさらに備え、
前記送信モジュールは、さらに、前記制御指令にしたがって、下り制御シグナリングを送信して、前記ＵＥに対し、前記チャネル品質調整因子をフィードバックするよう通知する、ことを特徴とする請求項１５乃至１９のいずれか１項に記載の基地局。
【国際調査報告】
2019512906.tif 000044
2019512906.tif 000045
2019512906.tif 000046
2019512906.tif 000047